【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  第１の画像の一部を指定する第１の情報、前記第１の画像の一部に対応する第２の画像の、前記第１の画像に対する倍率を表わす第２の情報、および画像を表すデータを記憶するための記憶手段と、
画像を表示するための表示手段と、
前記第２の画像が、前記第２の情報として記憶された倍率で表示されるように、前記表示手段を制御するための制御手段と、
前記倍率が確定したか否かを判断するための判断手段と、
前記倍率が確定したことに応答して、前記第２の画像を一部分とする第３の画像が、確定された前記倍率で表示されるように前記表示手段を制御するための表示確定手段とを含む表示装置。
【請求項２】  前記表示手段に表示された画像の複数の点を指定することにより前記第１の情報を指定するための第１の指定手段をさらに含む、請求項１に記載の表示装置。
【請求項３】  前記第１の画像の一部に関して指定することにより、指定された内容に対応する前記倍率を表わす第２の情報を指定するための第２の指定手段をさらに含む、請求項１または２に記載の表示装置。
【請求項４】  前記第２の指定手段は、前記第１の指定手段によって指定された点のうち１点の移動先を指定することにより、前記１点の移動距離に対応する倍率を表わす前記第２の情報を指定するための手段を含む、請求項３に記載の表示装置。
【請求項５】  前記第２の指定手段は、前記第１の画像の一部に含まれる１点を指定することにより、前記１点の位置に対応する倍率を表わす前記第２の情報を指定するための手段を含む、請求項３に記載の表示装置。
【請求項６】  前記第２の指定手段は、前記第１の画像の一部に含まれる１点を継続して指定することにより、継続時間に対応する倍率を表わす前記第２の情報を指定するための手段を含む、請求項３に記載の表示装置。
【請求項７】  前記表示確定手段は、前記第３の画像が、前記表示手段の所定の領域一杯に表示されるように制御するための手段を含む、請求項１から６のいずれかに記載の表示装置。
【請求項８】  前記表示確定手段は、前記第３の画像が、前記表示手段において表示できる領域一杯に表示されるように制御するための手段を含む、請求項１から６のいずれかに記載の表示装置。
【請求項９】  第１の画像の一部を指定する第１の情報、前記第１の画像の一部に対応する第２の画像の、前記第１の画像に対する倍率を表わす第２の情報、および画像を表すデータを記憶する記憶ステップと、
画像を表示する表示ステップと、
前記第２の画像が、前記第２の情報として記憶された倍率で表示されるように、前記表示ステップを制御する制御ステップと、
前記倍率が確定したか否かを判断する判断ステップと、
前記倍率が確定したことに応答して、前記第２の画像を一部分とする第３の画像が、確定された前記倍率で表示されるように前記表示ステップを制御する表示確定ステップとを含む表示方法。
【請求項１０】  第１の画像の一部を指定する第１の情報、前記第１の画像の一部に対応する第２の画像の、前記第１の画像に対する倍率を表わす第２の情報、および画像を表すデータを記憶する記憶ステップと、
画像を表示する表示ステップと、
前記第２の画像が、前記第２の情報として記憶された倍率で表示されるように、前記表示ステップを制御する制御ステップと、
前記倍率が確定したか否かを判断する判断ステップと、
前記倍率が確定したことに応答して、前記第２の画像を一部分とする第３の画像が、確定された前記倍率で表示されるように前記表示ステップを制御する表示確定ステップとを含む各ステップをコンピュータに実行させるための表示プログラム。
【請求項１１】  第１の画像の一部を指定する第１の情報、前記第１の画像の一部に対応する第２の画像の、前記第１の画像に対する倍率を表わす第２の情報、および画像を表すデータを記憶する記憶ステップと、
画像を表示する表示ステップと、
前記第２の画像が、前記第２の情報として記憶された倍率で表示されるように、前記表示ステップを制御する制御ステップと、
前記倍率が確定したか否かを判断する判断ステップと、
前記倍率が確定したことに応答して、前記第２の画像を一部分とする第３の画像が、確定された前記倍率で表示されるように前記表示ステップを制御する表示確定ステップとをコンピュータに実行させるための表示プログラムを記録した、コンピュータ読取り可能な記録媒体。
【手続補正２】
【補正対象書類名】明細書
【補正対象項目名】０００９
【補正方法】変更
【補正の内容】
【０００９】
【課題を解決するための手段】
本発明のある局面にしたがうと、表示装置は、第１の画像の一部を指定する第１の情報、第１の画像の一部に対応する第２の画像の、第１の画像に対する倍率を表わす第２の情報、および画像を表すデータを記憶するための記憶手段と、画像を表示するための表示手段と、第２の画像が、第２の情報として記憶された倍率で表示されるように、表示手段を制御するための制御手段と、倍率が確定したか否かを判断するための判断手段と、倍率が確定したことに応答して、第２の画像を一部分とする第３の画像が、確定された倍率で表示されるように表示手段を制御するための表示確定手段とを含む。
【手続補正３】
【補正対象書類名】明細書
【補正対象項目名】００１０
【補正方法】変更
【補正の内容】
【００１０】
すなわち、記憶手段は、第１の画像の一部を指定する第１の情報、第１の画像の一部に対応する第２の画像の、第１の画像に対する倍率を表わす第２の情報、および画像を表すデータを記憶する。表示手段は、画像を表示する。制御手段は、第２の画像が、第２の情報として記憶された倍率で表示されるように、表示手段を制御する。判断手段は、倍率が確定したか否かを判断する。表示確定手段は、倍率が確定したことに応答して、第２の画像を一部分とする第３の画像が、確定された倍率で表示されるように表示手段を制御する。これにより、第２の画像を一部分とする第３の画像は、第２の画像の、確定された倍率で表示される。その結果、表示される画像の倍率を、速く確定できる表示装置を提供することができる。
【手続補正４】
【補正対象書類名】明細書
【補正対象項目名】００１１
【補正方法】変更
【補正の内容】
【００１１】
また、表示手段に表示された画像の複数の点を指定することにより第１の情報を指定するための第１の指定手段をさらに含むことが望ましい。
【手続補正５】
【補正対象書類名】明細書
【補正対象項目名】００１２
【補正方法】変更
【補正の内容】
【００１２】
すなわち、第１の指定手段は、表示手段に表示された画像の複数の点を指定することにより第１の情報を指定できる。これにより、第１の指定手段は、第１の情報を速く指定できる。その結果、表示される画像の倍率を、より速く確定できる表示装置を提供することができる。
【手続補正６】
【補正対象書類名】明細書
【補正対象項目名】００１３
【補正方法】変更
【補正の内容】
【００１３】
また、第１の画像の一部に関して指定することにより、指定された内容に対応する倍率を表わす第２の情報を指定するための第２の指定手段をさらに含むことが望ましい。
【手続補正７】
【補正対象書類名】明細書
【補正対象項目名】００１４
【補正方法】変更
【補正の内容】
【００１４】
すなわち、第２の指定手段は、第１の画像の一部に関して指定することにより、指定された内容に対応する倍率を表わす第２の情報を指定できる。これにより、第２の指定手段は、第２の情報を速く指定できる。その結果、表示される画像の倍率を、より速く確定できる表示装置を提供することができる。
【手続補正８】
【補正対象書類名】明細書
【補正対象項目名】００１５
【補正方法】変更
【補正の内容】
【００１５】
もしくは、第２の指定手段は、第１の指定手段によって指定された点のうち１点の移動先を指定することにより、１点の移動距離に対応する倍率を表わす第２の情報を指定するための手段を含むことが望ましい。
【手続補正９】
【補正対象書類名】明細書
【補正対象項目名】００１６
【補正方法】変更
【補正の内容】
【００１６】
すなわち、第２の指定手段は、指定された点のうち１点の移動先を指定することにより、１点の移動距離に対応する倍率を表わす第２の情報を指定できる。これにより、第２の指定手段は、第２の情報をさらに速く指定できる。その結果、表示される画像の倍率を、さらに速く確定できる表示装置を提供することができる。
【手続補正１０】
【補正対象書類名】明細書
【補正対象項目名】００１７
【補正方法】変更
【補正の内容】
【００１７】
もしくは、上述の第２の指定手段は、第１の画像の一部に含まれる１点を指定することにより、１点の位置に対応する倍率を表わす第２の情報を指定するための手段を含むことが望ましい。
【手続補正１１】
【補正対象書類名】明細書
【補正対象項目名】００１８
【補正方法】変更
【補正の内容】
【００１８】
すなわち、第２の指定手段は、第１の画像の一部に含まれる１点を指定することにより、１点の位置に対応する倍率を表わす第２の情報を指定できる。これにより、第２の指定手段は、第２の情報をさらに速く指定できる。その結果、表示される画像の倍率を、さらに速く確定できる表示装置を提供することができる。
【手続補正１２】
【補正対象書類名】明細書
【補正対象項目名】００１９
【補正方法】変更
【補正の内容】
【００１９】
もしくは、上述の第２の指定手段は、第１の画像の一部に含まれる１点を継続して指定することにより、継続時間に対応する倍率を表わす第２の情報を指定するための手段を含むことが望ましい。
【手続補正１３】
【補正対象書類名】明細書
【補正対象項目名】００２０
【補正方法】変更
【補正の内容】
【００２０】
すなわち、第２の指定手段は、動作が継続された時間にもとづいて継続時間に対応する倍率を表わす第２の情報を指定できる。その動作とは、第１の画像の一部に含まれる１点を指定する動作である。これにより、第２の指定手段は、第２の情報をさらに速く指定できる。その結果、表示される画像の倍率を、さらに速く確定できる表示装置を提供することができる。
【手続補正１４】
【補正対象書類名】明細書
【補正対象項目名】００２１
【補正方法】変更
【補正の内容】
【００２１】
また、上述の表示確定手段は、第３の画像が、表示手段の所定の領域一杯に表示されるように制御するための手段を含むことが望ましい。
【手続補正１５】
【補正対象書類名】明細書
【補正対象項目名】００２２
【補正方法】変更
【補正の内容】
【００２２】
すなわち、表示確定手段は、第３の画像が、表示手段の所定の領域一杯に表示されるように制御できる。これにより、表示手段の所定の領域一杯に、確定された倍率で画像が表示される。その結果、所定の領域一杯に表示される画像の倍率を、速く確定できる表示装置を提供することができる。
【手続補正１６】
【補正対象書類名】明細書
【補正対象項目名】００２３
【補正方法】変更
【補正の内容】
【００２３】
また、上述の表示確定手段は、第３の画像が、表示手段において表示できる領域一杯に表示されるように制御するための手段を含むことが望ましい。
【手続補正１７】
【補正対象書類名】明細書
【補正対象項目名】００２４
【補正方法】変更
【補正の内容】
【００２４】
すなわち、表示確定手段は、第３の画像が、表示手段において表示できる領域一杯に表示されるように制御できる。これにより、表示手段において表示できる領域一杯に、確定された倍率で画像が表示される。その結果、表示できる領域一杯に表示される画像の倍率を、速く確定できる表示装置を提供することができる。
【手続補正１８】
【補正対象書類名】明細書
【補正対象項目名】００２５
【補正方法】変更
【補正の内容】
【００２５】
本発明の他の局面にしたがうと、表示方法は、第１の画像の一部を指定する第１の情報、第１の画像の一部に対応する第２の画像の、第１の画像に対する倍率を表わす第２の情報、および画像を表すデータを記憶する記憶ステップと、画像を表示する表示ステップと、第２の画像が、第２の情報として記憶された倍率で表示されるように、表示ステップを制御する制御ステップと、倍率が確定したか否かを判断する判断ステップと、倍率が確定したことに応答して、第２の画像を一部分とする第３の画像が、確定された倍率で表示されるように表示ステップを制御する表示確定ステップとを含む。
【手続補正１９】
【補正対象書類名】明細書
【補正対象項目名】００２６
【補正方法】変更
【補正の内容】
【００２６】
すなわち、記憶ステップは、第１の画像の一部を指定する第１の情報、第１の画像の一部に対応する第２の画像の、第１の画像に対する倍率を表わす第２の情報、および画像を表すデータを記憶する。表示ステップは、画像を表示する。制御ステップは、第２の画像が、第２の情報として記憶された倍率で表示されるように、表示ステップを制御する。判断ステップは、倍率が確定したか否かを判断する。表示確定ステップは、倍率が確定したことに応答して、第２の画像を一部分とする第３の画像が、確定された倍率で表示されるように表示ステップを制御する。これにより、第２の画像を一部分とする第３の画像は、第２の画像の、確定された倍率で表示される。その結果、表示される画像の倍率を、速く確定できる表示方法を提供することができる。
【手続補正２０】
【補正対象書類名】明細書
【補正対象項目名】００２７
【補正方法】変更
【補正の内容】
【００２７】
本発明の他の局面にしたがうと、表示プログラムは、第１の画像の一部を指定する第１の情報、第１の画像の一部に対応する第２の画像の、第１の画像に対する倍率を表わす第２の情報、および画像を表すデータを記憶する記憶ステップと、画像を表示する表示ステップと、第２の画像が、第２の情報として記憶された倍率で表示されるように、表示ステップを制御する制御ステップと、倍率が確定したか否かを判断する判断ステップと、倍率が確定したことに応答して、第２の画像を一部分とする第３の画像が、確定された倍率で表示されるように表示ステップを制御する表示確定ステップとを含む。
【手続補正２１】
【補正対象書類名】明細書
【補正対象項目名】００２９
【補正方法】変更
【補正の内容】
【００２９】
本発明の他の局面にしたがうと、記録媒体は、第１の画像の一部を指定する第１の情報、第１の画像の一部に対応する第２の画像の、第１の画像に対する倍率を表わす第２の情報、および画像を表すデータを記憶する記憶ステップと、画像を表示する表示ステップと、第２の画像が、第２の情報として記憶された倍率で表示されるように、表示ステップを制御する制御ステップと、倍率が確定したか否かを判断する判断ステップと、倍率が確定したことに応答して、第２の画像を一部分とする第３の画像が、確定された倍率で表示されるように表示ステップを制御する表示確定ステップとを含む。